(57)【要約】【課題】  高い確率で粘着テープの輪（ループ）を形成出来るようにする。【解決手段】  粘着テープカッターにおいて、粘着テープロール１とカッター刃７の間に、引き出される粘着テープ２の下側に配置され、引き出されたテープが当接して回転する錘付ローラー５と、回転する錘付ローラー５の錘部５ａが当接して同ローラー５の回転をとめる、台座８に設けたストッパー１２と、引き出されるテープの下側に配置され同テープの引き出し方向に揺動する前錘付ローラー５の下手側に配置した揺動板３とを有し、前記揺動板３は、錘付ローラー５側に常時ばね付勢されて錘付ローラー５の上に位置するテープ接着部３ａを備えていることを特徴とする粘着テープカッター。【選択図】    図１
2006008406.tif 000002
【特許請求の範囲】
【請求項１】
台座と、これに設けた回転軸に回転かつ着脱可能に取り付けた粘着テープロールと、粘着テープロールより引き出した粘着テープを切断する台座に取り付けたカッター刃とよりなる粘着テープカッターにおいて、粘着テープロールとカッター刃の間に、引き出される粘着テープの下側に配置され、引き出されたテープが当接して回転する錘付ローラーと、回転する錘付ローラーの錘部が当接して同ローラーの回転をとめる、台座に設けたストッパーと、引き出されるテープの下側に配置され同テープの引き出し方向に揺動する前錘付ローラーの下手側に配置した揺動板とを有し、前記揺動板は、錘付ローラー側に常時ばね付勢されて錘付ローラーの上に位置するテープ接着部を備えていることを特徴とする粘着テープカッター。
【発明の詳細な説明】
【技術分野】
【０００１】  本発明は、粘着テープカッターの粘着テープロールから引き出して切断したテープの端部にテープの輪（ループ）を形成可能にする粘着テープカッターに関するものである。
【背景技術】
【０００２】  従来、粘着テープの切断端部の輪は、テープ切断後人の手で折り曲げて作られていたが、機能的ではないので、これを機械的に可能にするカッターが提案されている。このカッターは、台座に搭載された粘着テープロールと、同じ台座に設置されたテープカッター刃との間に可動接着部と固定接着部の二つのテープ接着部を設け、固定接着部に付勢された可動接着部に粘着テープロールより引き出された粘着テープを付着させ、前記テープカッター刃を有するテープ切断部まで引き出し、切断後復帰力にて二つの接着部間に張られた粘着テープの可動接着部側を元の位置である固定接着部側に復帰させることにより、粘着テープの粘着面を内側とするテープの輪を形成する構成となっている（例えば特許文献  １、２参照）。
【特許文献１】特開２００１−３０２０７６号公報
【特許文献２】特開  平０６−１９９４６３号公報
【発明の開示】
【発明が解決しようとする課題】
【０００３】  しかし、従来の粘着テープカッターは、テープの輪（ループ）形成が毎回確実にできないという問題点、即ち  テープが所望する方向と反対方向に中折れ状態となって形成され、ループ形成確率が低い（５０％〜８０％）ところに問題点があった。本発明は、この問題点を解決するためになされたものである。
【課題を解決するための手段】
【０００４】  上記の課題を解決するため、この発明が提供する粘着テープカッターは、台座と、これに設けた回転軸に回転かつ着脱可能に取り付けた粘着テープロールと、粘着テープロールより引き出した粘着テープを切断する台座に取り付けたカッター刃とよりなる粘着テープカッターにおいて、粘着テープロールとカッター刃の間に、引き出される粘着テープの下側に配置され、引き出されたテープが当接して回転する錘付ローラーと、回転する錘付ローラーの錘部が当接して同ローラーの回転をとめる、台座に設けたストッパーと、引き出されるテープの下側に配置され同テープの引き出し方向に揺動する前錘付ローラーの下手側に配置した揺動板とを有し、前記揺動板は、錘付ローラー側に常時ばね付勢されて錘付ローラーの上に位置するテープ接着部を備えたものである。
【発明の効果】
【０００５】  本発明によれば、高い確率（９８％〜１００％）でテープの輪（ループ）を形成できる。
【発明を実施するための最良の形態】
【０００６】  以下、この発明の形態を実施例によって図面を参照しながら説明する。
【実施例】
【０００７】  図１及び図２に、この発明の粘着テープカッターの実施例を示す。
図１、２において、１は搭載された粘着テープロール、２は引き出された粘着テープ、３は揺動板、３ａは揺動板３のテープ接着部、５は錘付ローラー、５ａは錘付ローラー５の錘部、７はカッター刃、８は台座、９はばね、１０は揺動板３の回転軸となるＡ軸、１１は錘付ローラーの回転軸となるＢ軸、１２は錘回転止め軸（ストッパー）、１３はばね支持軸、１４は粘着テープロール１を搭載する回転軸、６のテープ保持部及び４のカッター刃保持部は台座８の一部から成る。また、１０、１１、１２、１３の各軸は台座８に搭載、固定されている。【０００８】  錘付ローラー５は、その接着部頂点が粘着テープ切断直前状態では、粘着テープロール１のテープ引き出し点と、揺動板３のテープ接着部３ａ端部頂点とを結ぶ線上より常に上位位置にあるべく設置されている。ばね９はここでは引張りばねを用いているが、ねじりばね等でもよい。錘回転止め軸（ストッパー）１２は錘部５ａが粘着テープに付着することを防止する為にあるが、台座８の当該箇所に突起を設けて代用してもよい。揺動板３とＡ軸１０を、錘付ローラー５とＢ軸１１とを一体構造にし、それらの軸受けを台座８側に設けてもよい。錘付ローラー５の代わりに、重心位置が回転軸より下にある軸回転するフラッパ（下げ翼）を設けてもよい。【０００９】  次に、例示粘着テープカッターの動作を図３〜図７に基づいて説明する。
所望する長さに粘着テープ端部を粘着テープロール１より引き出し、ばね９で付勢された揺動板３のテープ接着部３ａに付着させた状態（図１、図２、図３）でばね９付勢力に抗しながら、テープカット位置（カッター刃保持部４）までテープを引き出し（図４、図５）、カッター刃７で切断するが、粘着テープ２はテープカット位置に到達する間に、ばね９付勢された揺動板３の位置で、テープ接着部３ａの下部位置に固定設置された錘付ローラー５にも付着しているため、切断後のテープはテープ接着部３ａに付着した状態で元の位置に円弧を描いて跳ね返る（図６）。このとき錘付ローラー５側の接着面は、錘付ローラー５がテープ粘性で巻き上げられた状態にあるが、テープ切断と同時に錘部５ａの重力トルクにて仰角を作る。このためテープ接着部３ａ側のテープ接着面の作るテープ角度と錘付ローラー５側の接着面の作るテープ角度は相互に仰角で相対接近するため、両接着部間の粘着面を内側として錘付ローラー５位置にテープの輪（ループ）１５を形成することが可能となる（図７）。
【図面の簡単な説明】
【００１０】
【図１】実施例の粘着テープカッター斜視図
【図２】実施例の側面図
【図３】実施例の動作（始動時）説明図
【図４】実施例の動作（往路中間時）説明図
【図５】実施例の動作（テープ切断直前）説明図
【図６】実施例の動作（復路中間時）説明図
【図７】実施例の動作（テープの輪完成時）説明図
【符号の説明】
【００１１】  １    粘着テープロール
２    粘着テープ
３    揺動板
３ａ  テープ接着部
４    カッター刃保持部
５    錘付ローラー
５ａ  錘部
６    テープ保持部
７    カッター刃
８    台座
９    ばね（引張りばね）
１０  Ａ軸
１１  Ｂ軸
１２  錘回転止め軸（ストッパー）
１３  ばね支持軸
１４  回転軸
１５  テープの輪
【図１】
2006008406.tif 000003
【図２】
2006008406.tif 000004
【図３】
2006008406.tif 000005
【図４】
2006008406.tif 000006
【図５】
2006008406.tif 000007
【図６】
2006008406.tif 000008
【図７】
2006008406.tif 000009